(57)【要約】【課題】設置作業性の向上、設置自由度の向上及び省スペース化を実現することができる平面検出器保持装置及び平面検出器を提供する。【解決手段】実施形態に係る平面検出器保持装置３ｄは、Ｘ線を検出する可搬型の平面検出器３ｃを保持する保持部１１と、その保持部１１に設けられ、保持部１１により保持された平面検出器３ｃがＸ線を検出することが可能な体勢に保持部１１を支える支持部１２とを備える。これにより、設置作業性の向上、設置自由度の向上及び省スペース化を実現することができる。【選択図】図２
2014233577.tif 000002
【特許請求の範囲】
【請求項１】
Ｘ線を検出する可搬型の平面検出器を保持する保持部と、
前記保持部に設けられ、前記保持部により保持された前記平面検出器がＸ線を検出することが可能な体勢に前記保持部を支える支持部と、
を備えることを特徴とする平面検出器保持装置。
【請求項２】
前記支持部は、前記保持部の側面に沿って収納されるように形成されていることを特徴とする請求項１に記載の平面検出器保持装置。
【請求項３】
前記支持部は、利用者が前記保持部を持ち運ぶためのハンドルであることを特徴とする請求項１又は請求項２に記載の平面検出器保持装置。
【請求項４】
前記保持部は、前記平面検出器を着脱可能に保持することを特徴とする請求項１ないし請求項３のいずれか一項に記載の平面検出器保持装置。
【請求項５】
Ｘ線を検出する可搬型の平面検出器本体と、
前記平面検出器本体がＸ線を検出することが可能な体勢に前記平面検出器本体を支える支持部と、
を備えることを特徴とする平面検出器。
【請求項６】
前記支持部は、前記平面検出器本体の側面に沿って収納されるように形成されていることを特徴とする請求項５に記載の平面検出器。
【請求項７】
前記支持部は、利用者が前記平面検出器本体を持ち運ぶためのハンドルであることを特徴とする請求項５又は請求項６に記載の平面検出器。
【発明の詳細な説明】
【技術分野】
【０００１】
本発明の実施形態は、平面検出器保持装置及び平面検出器に関する。
【背景技術】
【０００２】
Ｘ線画像診断装置は、天板上の被検体に対してＸ線を照射してその被検体を透過したＸ線を検出し、検出したＸ線量に基づいたＸ線透過データから被検体のＸ線画像（医用画像）を生成する装置である。このＸ線画像診断装置としては、各種タイプのＸ線画像診断装置があり、Ｘ線を検出する平面検出器（Ｘ線平面検出器）を用いるＸ線画像診断装置が存在している。
【０００３】
この平面検出器の中には、ポータブルＦＰＤ（Ｆｌａｔ  Ｐａｎｅｌ  Ｄｅｔｅｃｔｏｒ）と呼ばれる可搬（携帯）可能な平面検出器が開発されている。天板上の被検体の側面にＸ線を照射して側面撮影を行う場合には、被検体の側面側に可搬型の平面検出器を設けるため、その側面位置に平面検出器を保持する側面撮影用保持ツール（保持機構）やグリッドを保持するグリッドホルダなどが必要となる。
【０００４】
通常、側面撮影用保持ツールは、天板の側面側に固定され、グリッドホルダと共に可搬型の平面検出器を保持するが、このとき、そのツールに対する平面検出器やグリッドの取り付け固定に手間がかかる。さらに、側面撮影用保持ツールが天板の側面側に固定されているという構造上、所定の位置にしか可搬型の平面検出器を設けることはできず、可搬型の平面検出器を設置する箇所に制約がある。また、側面撮影用保持ツールによって天板の側面側に構造物が多く、加えて、その側面撮影用保持ツールは側面撮影時以外に使い道もないため、各種作業の邪魔になっている。
【先行技術文献】
【特許文献】
【０００５】
【特許文献１】特開２００８−２８９８８０号公報
【発明の概要】
【発明が解決しようとする課題】
【０００６】
本発明が解決しようとする課題は、設置作業性の向上、設置自由度の向上及び省スペース化を実現することができる平面検出器保持装置及び平面検出器を提供することである。
【課題を解決するための手段】
【０００７】
実施形態に係る平面検出器保持装置は、Ｘ線を検出する可搬型の平面検出器を保持する保持部と、保持部に設けられ、保持部により保持された平面検出器がＸ線を検出することが可能な体勢に保持部を支える支持部とを備える。
【０００８】
実施形態に係る平面検出器は、Ｘ線を検出する可搬型の平面検出器本体と、平面検出器本体がＸ線を検出することが可能な体勢に平面検出器本体を支える支持部とを備える。
【図面の簡単な説明】
【０００９】
【図１】第１の実施形態に係るＸ線画像診断装置の概略構成を示す図である。
【図２】第１の実施形態に係る平面検出器保持装置の概略構成を示す外観斜視図である。
【図３】第１の実施形態に係る平面検出器保持装置の概略構成を示す分解斜視図である。
【図４】第１の実施形態に係る平面検出器保持装置の自立状態を説明するための第１の説明図である。
【図５】第１の実施形態に係る平面検出器保持装置の自立状態を説明するための第２の説明図である。
【図６】第２の実施形態に係る平面検出器保持装置の概略構成を示す外観斜視図である。
【図７】第３の実施形態に係る平面検出器保持装置の概略構成を示す外観斜視図である。
【図８】第４の実施形態に係る平面検出器の概略構成を示す外観斜視図である。
【発明を実施するための形態】
【００１０】
（第１の実施形態）
第１の実施形態について図１ないし図５を参照して説明する。
【００１１】
図１に示すように、第１の実施形態に係るＸ線画像診断装置１は、患者などの被検体Ｐが横たわる寝台２と、その寝台２上の被検体Ｐに対して撮像を行う撮像装置３と、それらの寝台２及び撮像装置３を制御する制御装置４とを備えている。
【００１２】
寝台２は、被検体Ｐを載せる長方形状の天板２ａと、その天板２ａを支持して水平方向及び鉛直方向（昇降方向）に移動させる移動駆動部２ｂとを備えている。移動駆動部２ｂは、天板２ａ移動用の移動機構やその移動のための駆動力を供給する駆動源などを有している。この寝台２は、移動駆動部２ｂにより天板２ａを所望の高さまで移動させ、さらに、その天板２ａを水平方向に移動させて、天板２ａ上の被検体Ｐを所望位置に移動させる。
【００１３】
撮像装置３は、Ｘ線を照射するＸ線照射器３ａと、そのＸ線照射器３ａに高電圧を供給する高電圧発生部３ｂと、天板２ａ上の被検体Ｐを透過したＸ線を検出する可搬型の平面検出器（Ｘ線平面検出器）３ｃと、その平面検出器３ｃを保持する平面検出器保持装置３ｄと、平面検出器３ｃにより検出されたＸ線をＸ線透過データとして収集するデータ収集部３ｅとを備えている。
【００１４】
Ｘ線照射器３ａは、Ｘ線を出射するＸ線管３ａ１と、そのＸ線管３ａ１から出射されたＸ線を絞るコリメータなどのＸ線絞り器３ａ２とを備えている。このＸ線照射器３ａは、Ｘ線管３ａ１によりＸ線を出射し、そのＸ線をＸ線絞り器３ａ２により絞って、天板２ａ上の被検体Ｐに対しコーン角を持つファンビーム形状、例えば、角錐形状のＸ線を照射する。
【００１５】
ここで、Ｘ線照射器３ａは、天井面や床面などに設けられた支柱やアーム（いずれも図示せず）によって移動可能に支持され、天板２ａ上の被検体Ｐに対する相対位置が変更可能に構成されている。このＸ線照射器３ａは、側面撮影を行う場合、天板２ａ上の被検体Ｐの側面にＸ線を照射する側面位置に移動し（図１中の実線参照）、一般撮影を行う場合、天板２ａ上の被検体Ｐの上面にＸ線を照射する上方位置に移動する（図１中の二点鎖線参照）。
【００１６】
高電圧発生部３ｂは、Ｘ線照射器３ａのＸ線管３ａ１に供給する高電圧を発生させる装置であり、制御装置４から与えられた電圧を昇圧及び整流し、その電圧をＸ線管３ａ１に供給する。なお、制御装置４は、Ｘ線管３ａ１により所望のＸ線を発生させるため、高電圧発生部３ｂに与える電圧の波形、すなわち振幅やパルス幅などの各種条件を制御する。
【００１７】
平面検出器３ｃは、Ｘ線照射器３ａから照射されたＸ線を検出可能に形成されており、天板２ａ上の被検体Ｐを透過したＸ線を電気信号に変換してデータ収集部３ｅに無線（あるいは有線）で送信する。この平面検出器３ｃとしては、Ｘ線を電気信号に直接変換する直接変換型やＸ線を光信号に変換した後に電気信号に変換する間接変換型などの平面検出器（ＦＰＤ：Ｆｌａｔ  Ｐａｎｅｌ  Ｄｅｔｅｃｔｏｒ）を用いることが可能である。
【００１８】
ここで、平面検出器３ｃは、側面撮影を行う場合、天板２ａ上に平面検出器保持装置３ｄと共に設けられ（図１中の実線参照）、一般撮影を行う場合、天板２ａ上の被検体Ｐの下方、例えば天板２ａの下方の移動駆動部２ｂ内に平面検出器保持装置３ｄと共に設けられる（図１中の二点鎖線参照）。このように、平面検出器３ｃは、側面撮影や一般撮影などの撮影内容に応じて利用者（ユーザ）が希望する位置に設置される。
【００１９】
平面検出器保持装置３ｄは、平面検出器３ｃを保持して寝台２の天板２ａ上あるいは天板２ａの下方への設置を可能にする装置である（詳しくは、後述する）。なお、平面検出器保持装置３ｄにより、利用者は天板２ａ上の所望位置に自由に平面検出器３ｃを設けることが可能となり、さらに、天板２ａの下方位置に平面検出器３ｃを設けることが可能となる。
【００２０】
データ収集部３ｅは、平面検出器３ｃから送信された電気信号をデジタル信号に変換し、デジタルデータであるＸ線透過データ（Ｘ線量分布データ）を収集し、そのＸ線透過データを制御装置４に送信する。
【００２１】
制御装置４は、各部を制御する制御部４ａと、Ｘ線透過データに対して各種画像処理を行う画像処理部４ｂと、各種プログラムや各種データなどを記憶する記憶部４ｃと、利用者により入力操作される操作部４ｄと、画像を表示する表示部４ｅとを備えている。これらの制御部４ａ、画像処理部４ｂ、記憶部４ｃ、操作部４ｄ及び表示部４ｅはバスライン４ｆにより電気的に接続されている。
【００２２】
制御部４ａは、記憶部４ｃに記憶された各種プログラムや各種データに基づいて寝台２の移動駆動部２ｂや撮像装置３の高電圧発生部３ｂなどの各部を制御する。加えて、制御部４ａは、Ｘ線照射器３ａのＸ線絞り器３ａ２も制御し、さらに、表示部４ｅに各種画像を表示する制御も行う。この制御部４ａとしては、例えば、ＣＰＵ（Ｃｅｎｔｒａｌ  Ｐｒｏｃｅｓｓｉｎｇ  Ｕｎｉｔ）などを用いることが可能である。
【００２３】
画像処理部４ｂは、データ収集部３ｅから送信されたＸ線透過データからＸ線画像を生成する処理などの各種画像処理を行う。この画像処理部４ｂとしては、例えば、アレイプロセッサなどを用いることが可能である。
【００２４】
記憶部４ｃは、各種プログラムや各種データなどを記憶する記憶装置である。この記憶部４ｃとしては、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）、ハードディスクドライブ（ＨＤＤ）やソリッドステートドライブ（ＳＳＤ）などを用いることが可能である。
【００２５】
操作部４ｄは、利用者による入力操作を受け付ける入力部であり、例えば、撮影指示や画像表示、画像の切り替え、各種設定などの様々な入力操作を受け付ける。この操作部４ｄとしては、例えば、キーボードやマウス、スイッチ、レバーなどの入力デバイスを用いることが可能である。
【００２６】
表示部４ｅは、被検体ＰのＸ線画像や操作画面などの各種画像を表示する表示装置である。この表示部４ｅとしては、例えば、液晶ディスプレイや有機ＥＬ（エレクトロルミネッセンス）ディスプレイ、ＣＲＴ（ブラウン管）ディスプレイなどを用いることが可能である。
【００２７】
このようなＸ線画像診断装置１は、操作部４ｄに対する利用者の入力操作に応じて、被検体Ｐが載置された天板２ａを移動駆動部２ｂにより所望の位置に移動させる。この状態で、利用者はＸ線照射器３ａを所望の位置に移動させ、そのＸ線照射器３ａに天板２ａ上の被検体Ｐを介して対向する所望の位置に、平面検出器３ｃを内蔵する平面検出器保持装置３ｄを設ける。このときの平面検出器保持装置３ｄの設置位置、すなわち平面検出器３ｃの設置位置は一般撮影や側面撮影などの撮影内容に応じて変わるものである。したがって、平面検出器３ｃはその設置位置を変えることによって一般撮影及び側面撮影の双方に対応することが可能である。
【００２８】
前述の状態で、Ｘ線画像診断装置１は、操作部４ｄに対する利用者の入力操作に応じて、Ｘ線照射器３ａにより天板２ａ上の被検体Ｐに対してＸ線を照射し、被検体Ｐを透過したＸ線量を平面検出器３ｃにより検出する撮影（一般撮影や側面撮影など）を行う。さらに、Ｘ線画像診断装置１は、平面検出器３ｃからの電気信号をデータ収集部３ｅによりＸ線透過データとして収集し、そのＸ線透過データを画像処理部４ｂにより処理してＸ線画像を生成し、表示部４ｅにより表示する。なお、Ｘ線画像は必要に応じて記憶部４ｃに保存される。
【００２９】
次に、前述の平面検出器保持装置３ｄについて図２及び図３を参照して説明する。
【００３０】
図２及び図３に示すように、平面検出器保持装置３ｄは、平面検出器３ｃを着脱可能に保持する保持部１１と、その保持部１１を支える支持部１２とを備えており、保持部１１により平面検出器３ｃを保持しつつ支持部１２により自立することが可能な構造に形成されている。
【００３１】
なお、平面検出器３ｃは、利用者に自身の動作状況を報知する報知部３ｃ１及び３ｃ２を有している。これらの報知部３ｃ１及び３ｃ２は平面検出器３ｃの側面に設けられている。各報知部３ｃ１及び３ｃ２としては、例えば、光を発するＬＥＤ（Ｌｉｇｈｔ  Ｅｍｉｔｔｉｎｇ  Ｄｉｏｄｅ）などのランプや音を出力するスピーカなどを用いることが可能である。
【００３２】
保持部１１は、平面検出器３ｃを着脱可能に内蔵し、さらに、その平面検出器３ｃに加えてグリッド１３を保持する箱形状の筐体である。この保持部１１の材料としては、金属や樹脂などの各種材料を用いることが可能である。
【００３３】
なお、グリッド１３は、散乱光を除去するためのものであり、平面検出器３ｃのＸ線検出面とほぼ同じ大きさに形成されている。このグリッド１３は、例えば、Ｘ線を吸収する部材とＸ線を透過する部材とが縞状又は格子状となるように交互に配置されて形成されたものである。
【００３４】
保持部１１には、グリッド１３が嵌め込まれる第１の開口部１１ａが形成されており、グリッド１３はその第１の開口部１１ａに嵌め込まれて固定されている。さらに、保持部１１には、平面検出器３ｃを挿入及び取り出し可能にする第２の開口部１１ｂが形成されており、平面検出器３ｃはその第２の開口部１１ｂを介して保持部１１内に挿入され、あるいは、保持部１１内から取り出される。
【００３５】
第２の開口部１１ｂの第１の端部には、第１のレール１４が保持部１１の内壁に沿って設けられており、その第１の端部の反対に位置する第２の端部には、第２のレール１５が保持部１１の内壁に沿って設けられている。これらのレール１４及び１５の材料としては、樹脂などの各種材料を用いることが可能である。各レール１４及び１５は、平面検出器３ｃを第２の開口部１１ｂから保持部１１の内部に案内し、その平面検出器３ｃを挟み込むように保持する。なお、平面検出器３ｃを確実に保持するためには、保持部１１内に平面検出器３ｃを固定する固定部材（例えば、ラッチ機構のような機構など）を設けるようにしても良い。
【００３６】
また、保持部１１には、利用者が保持部１１内の平面検出器３ｃの側面に位置する各報知部３ｃ１及び３ｃ２を視認することを可能とする切り欠き部１１ｃが形成されている。この切り欠き部１１ｃは、利用者が保持部１１内の平面検出器３ｃの側面に位置する各報知部３ｃ１及び３ｃ２を視認することが可能となるように形成されている。なお、保持部１１を軽量化するためには、保持部１１の必要強度を維持することが可能な範囲内で、できるだけ大きく切り欠き部１１ｃを形成することが望ましい。
【００３７】
支持部１２は、保持部１１に取り付けられており、その保持部１１により保持された平面検出器３ｃがＸ線を検出することが可能な体勢（Ｘ線を検出可能な状態）に保持部１１を支える。これにより、平面検出器保持装置３ｄは、保持部１１に平面検出器３ｃを内蔵した状態で支持部１２により自身で立っている状態（自立状態）となる。
【００３８】
また、支持部１２は、一本の棒状に形成されており、箱形状の保持部１１の側面（図２中の上面を含む）に沿う枠のような形状、すなわち３つの側面に沿うＵ字形状に成形されている。この支持部１２の材料としては、金属や樹脂などの各種材料を用いることが可能である。ここで、支持部１２の断面形状としては、例えば、丸形状や楕円形状、四角形状、六角形状などの各種形状を用いることが可能である。なお、支持部１２の断面サイズは、例えば１５ｍｍ〜２０ｍｍ程度であることが望ましい。
【００３９】
また、支持部１２は、保持部１１の側面に沿って収納されるように形成されている。具体的には、Ｕ字形状の支持部１２の両端が保持部１１における対向する一対の側面にそれぞれ取り付けられており、支持部１２はその両端を通る直線を回転中心として回動可能（回転可能）に形成されている。この支持部１２は、保持部１１を挟み込んでおり、その保持部１１との摩擦力によって自身の停止位置を希望の位置にすることが可能に形成されている。
【００４０】
ここで、支持部１２は、保持部１１を支える二つの支持位置（例えば、図２中の実線参照）と保持部１１の側面に位置する収納位置（図２中の二点鎖線参照）とに移動する。この収納位置に移動した支持部１２は、ユーザが保持部１１を持ち運ぶためのハンドル（取っ手や握りなど）として機能する。なお、収納位置に移動した支持部１２の位置を確実に固定するためには、収納位置で支持部１２を固定する固定部材（図示せず）を設けるようにしても良い。
【００４１】
次いで、このような平面検出器保持装置３ｄの側面撮影時の自立状態（第１の設置方法及び第２の設置方法）について図４及び図５を参照して説明する。
【００４２】
第１の設置方法において、図４に示すように、平面検出器３ｃを内蔵する平面検出器保持装置３ｄは、支持部１２が天板２ａ上の被検体Ｐと反対側に倒され（第１の支持位置）、保持部１１が内蔵する平面検出器３ｃが天板２ａ上の被検体Ｐを透過したＸ線を検出することが可能な体勢になるよう、すなわち天板２ａの上面である載置面にほぼ垂直になるように天板２ａ上に設けられる。このとき、平面検出器３ｃを内蔵する保持部１１は支持部１２により支えられ、平面検出器保持装置３ｄは天板２ａ上に自立することになる。
【００４３】
第２の設置方法において、図５に示すように、平面検出器３ｃを内蔵する平面検出器保持装置３ｄは、支持部１２が天板２ａ上の被検体Ｐ側に倒され（第２の支持位置）、前述と同様、保持部１１が内蔵する平面検出器３ｃが天板２ａ上の被検体Ｐを透過したＸ線を検出することが可能な体勢になるよう、すなわち天板２ａの上面である載置面にほぼ垂直になるように天板２ａ上に設けられる。このとき、支持部１２は被検体Ｐの下（天板２ａ上の被検体Ｐと天板２ａとの間）に位置し、平面検出器３ｃを内蔵する保持部１１は支持部１２により支えられ、平面検出器保持装置３ｄは天板２ａ上の端部に自立することになる。なお、支持部１２は天板２ａ上の被検体Ｐの下に敷かれるように配置されており、被検体Ｐの体重によって抑え込まれる。このため、保持部１１は被検体Ｐによって天板２ａ上に固定されることになる。
【００４４】
ここで、側面撮影を行う場合には、前述の第１の設置方法及び第２の設定方法のどちらの方法を用いても良いが、第１の設定方法は天板２ａ上のスペースに依存する。すなわち、第１の設置方法は、天板２ａ上の被検体Ｐの反対側に支持部１２を倒しても、天板２ａ上に平面検出器保持装置３ｄを載置可能なスペースが存在している場合に用いられる。一方、このスペースが存在しない場合、第２の設置方法を用いることになるが、この第２の設置方法は天板２ａ上のスペースに関係無く用いることが可能である。
【００４５】
このようにどちらの設置方法においても、平面検出器３ｃを内蔵する平面検出器保持装置３ｄが自立するため、天板２ａ上のどこにでも自由に平面検出器保持装置３ｄ、すなわち平面検出器３ｃを設置することが可能となり、平面検出器３ｃを配置する自由度が向上する。さらに、側面撮影のたびに平面検出器３ｃやグリッド１３の取り付け固定を行う場合に比べ、平面検出器保持装置３ｄの支持部１２を展開し、その平面検出器保持装置３ｄを天板２ａ上に載置するだけで良いため、利用者の手間を軽減することができる。加えて、天板２ａの側面側に固定されている側面撮影用保持ツールが不要となり、その側面撮影用保持ツールを取り除くことが可能となる。このため、複雑な機構の側面撮影用保持ツールを用いる場合に比べ、省スペース化及び低コスト化を達成することができる。
【００４６】
また、支持部１２は保持部１１の側面に沿って収納されるため、平面検出器保持装置３ｄを運ぶ際などに支持部１２が邪魔になることが無く、平面検出器保持装置３ｄの利便性を向上させることができる。さらに、支持部１２は利用者が保持部１１を持ち運ぶためのハンドルとしても機能するため、利用者はその支持部１２を掴んで平面検出器保持装置３ｄを容易に持ち運ぶことが可能となり、平面検出器保持装置３ｄの利便性をさらに向上させることができる。
【００４７】
また、保持部１１は平面検出器３ｃを着脱可能に保持するため、平面検出器３ｃを交換することが可能となり、平面検出器保持装置３ｄの利便性をより向上させることができる。加えて、保持部１１に切り欠き部１１ｃを設けることによって、各報知部３ｃ１及び３ｃ２が保持部１１により覆われないため、各報知部３ｃ１及び３ｃ２がランプやスピーカであっても、利用者はランプの点灯状態や音声によって平面検出器３ｃの動作状況を把握することができる。また、保持部１１の一部が切り欠かれるため、その保持部１１を軽量化することができる。
【００４８】
以上説明したように、第１の実施形態によれば、Ｘ線を検出する平面検出器３ｃを保持する保持部１１と、その保持部１１を支える支持部１２とによって、平面検出器保持装置３ｄを構成する。これにより、保持部１１が支持部１２により支えられ、平面検出器保持装置３ｄが自立することになる。このため、天板２ａ上のどこにでも自由に平面検出器保持装置３ｄ、すなわち平面検出器３ｃを設置することが可能となるので、配置自由度を向上させることができる。さらに、側面撮影用保持ツールを用いる場合に比べ、平面検出器保持装置３ｄの支持部１２を展開し、その平面検出器保持装置３ｄを天板２ａ上に載置するだけで良いため、利用者の手間を軽減することが可能となり、設置作業性を向上させることができる。加えて、側面撮影用保持ツールが不要となり、その側面撮影用保持ツールを取り除くことが可能となるため、複雑な機構の側面撮影用保持ツールを用いる場合に比べ、省スペース化を実現することができる。
【００４９】
（第２の実施形態）
第２の実施形態について図６を参照して説明する。
【００５０】
第２の実施形態は基本的に第１の実施形態と同様である。このため、第２の実施形態では、第１の実施形態との相違点について説明し、第１の実施形態で説明した部分は同一符号で示し、その説明も省略する。
【００５１】
図６に示すように、第２の実施形態に係る平面検出器保持装置３ｄでは、支持部１２が一対の支持部材、すなわち第１の支持部材１２ａ及び第２の支持部材１２ｂにより構成されている。これらの第１の支持部材１２ａ及び第２の支持部材１２ｂは、保持部１１の下面に設けられており、その保持部１１内の平面検出器３ｃがＸ線を検出することが可能な体勢に保持部１１を支える。これにより、平面検出器保持装置３ｄは、保持部１１に平面検出器３ｃを内蔵した状態で支持部１２により自身で立っている状態（自立状態）となる。なお、保持部１１の下面とは、図６中における下面（自立状態時の下面）であり、平面検出器保持装置３ｄを天板２ａ上に設置する場合、保持部１１の天板２ａ側の面である。
【００５２】
また、第１の支持部材１２ａ及び第２の支持部材１２ｂは、それぞれ保持部１１の下面に沿って収納されるように形成されている。具体的には、第１の支持部材１２ａは、その一端部が保持部１１の下面の一端部に取り付けられ、保持部１１の下面に沿って回転可能に形成されている。また、同様に、第２の支持部材１２ｂも、その一端部が保持部１１の下面の他の一端部（前述の一端部の反対側の端部）に取り付けられ、保持部１１の下面に沿って回転可能に形成されている。
【００５３】
ここで、第１の支持部材１２ａ及び第２の支持部材１２ｂは、それぞれ立方体形状に形成されているが、これに限るものではなく、例えば、円柱形状や楕円柱形状、四角柱形状、六角柱形状などの各種の形状に形成されても良い。なお、支持部１２を天板２ａ上の被検体Ｐの下に敷くように配置することがあるが、被検体Ｐである被験者に負担をかけないためにも、第１の支持部材１２ａ及び第２の支持部材１２ｂのそれぞれの厚さは、例えば１０ｍｍ以下であることが望ましい。
【００５４】
このような第１の支持部材１２ａ及び第２の支持部材１２ｂは、保持部１１を支える二つの支持位置（例えば、図６中の実線参照）と保持部１１の下面に位置する収納位置（図６中の二点鎖線参照）とに移動する。第１の支持部材１２ａ及び第２の支持部材１２ｂが支持位置に移動すると、保持部１１が第１の支持部材１２ａ及び第２の支持部材１２ｂにより支えられ、平面検出器保持装置３ｄが自立することになる。このため、第１の実施形態と同様、天板２ａ上のどこにでも自由に平面検出器保持装置３ｄ、すなわち平面検出器３ｃを設置することが可能となる。
【００５５】
以上説明したように、第２の実施形態によれば、前述の第１の実施形態と同様の効果を得ることが可能となり、設置作業性の向上、設置自由度の向上及び省スペース化を実現することができる。
【００５６】
（第３の実施形態）
第３の実施形態について図７を参照して説明する。
【００５７】
第３の実施形態は基本的に第２の実施形態と同様である。このため、第３の実施形態では、第２の実施形態との相違点について説明し、第２の実施形態で説明した部分は同一符号で示し、その説明も省略する。
【００５８】
図７に示すように、第３の実施形態に係る平面検出器保持装置３ｄでは、第１の支持部材１２ａ及び第２の支持部材１２ｂが、保持部１１の側面、すなわち保持部１１における対向する一対の側面に個別に設けられている。これらの第１の支持部材１２ａ及び第２の支持部材１２ｂは、保持部１１内の平面検出器３ｃがＸ線を検出することが可能な体勢に保持部１１を支える。これにより、平面検出器保持装置３ｄは、保持部１１に平面検出器３ｃを内蔵した状態で支持部１２により自身で立っている状態（自立状態）となる。
【００５９】
また、第１の支持部材１２ａ及び第２の支持部材１２ｂは、それぞれ保持部１１の側面に沿って収納されるように形成されている。具体的には、第１の支持部材１２ａは、その一端部が保持部１１の側面の一端部（図７中の下端部）に取り付けられ、保持部１１の側面に沿って回転可能に形成されている。また、同様に、第２の支持部材１２ｂも、その一端部が保持部１１の他の側面（前述の側面の反対側の側面）の一端部（図７中の下端部）に取り付けられ、保持部１１の側面に沿って回転可能に形成されている。
【００６０】
このような第１の支持部材１２ａ及び第２の支持部材１２ｂは、保持部１１を支える二つの支持位置（例えば、図７中の実線参照）と保持部１１の側面に位置する収納位置（図７中の二点鎖線参照）とに移動する。第１の支持部材１２ａ及び第２の支持部材１２ｂが支持位置に移動すると、保持部１１が第１の支持部材１２ａ及び第２の支持部材１２ｂにより支えられ、平面検出器保持装置３ｄが自立することになる。このため、第２の実施形態と同様、天板２ａ上のどこにでも自由に平面検出器保持装置３ｄ、すなわち平面検出器３ｃを設置することが可能となる。
【００６１】
以上説明したように、第３の実施形態によれば、前述の第２の実施形態と同様の効果を得ることが可能となり、設置作業性の向上、設置自由度の向上及び省スペース化を実現することができる。
【００６２】
（第４の実施形態）
第４の実施形態について図８を参照して説明する。
【００６３】
第４の実施形態は基本的に第１の実施形態と同様である。このため、第４の実施形態では、第１の実施形態との相違点について説明し、第１の実施形態で説明した部分は同一符号で示し、その説明も省略する。
【００６４】
図８に示すように、第４の実施形態に係る平面検出器３ｃは、可搬型の平面検出器本体３ｃ３と、その平面検出器本体３ｃ３を支える支持部１２と、平面検出器本体３ｃ３に設けられたグリッド１３を備えており、支持部１２により自立することが可能な構造に形成されている。つまり、第４の実施形態では、第１の実施形態に係る平面検出器保持装置３ｄ、すなわち保持部１１を備えておらず、第１の実施形態に係る支持部１２及びグリッド１３が平面検出器３ｃに直接取り付けられている。
【００６５】
支持部１２は、平面検出器本体３ｃ３を支える二つの支持位置（例えば、図８中の実線参照）と保持部１１の側面に位置する収納位置（図８中の二点鎖線参照）とに移動する。この支持部１２が支持位置に移動すると、平面検出器本体３ｃ３が支持部１２により支えられ、平面検出器３ｃが自立することになる。このため、第１の実施形態と同様、例えば天板２ａ上のどこにでも自由に平面検出器３ｃを設置することが可能となる。
【００６６】
以上説明したように、第４の実施形態によれば、前述の第１の実施形態と同様の効果を得ることが可能となり、設置作業性の向上、設置自由度の向上及び省スペース化を実現することができる。
【００６７】
すなわち、Ｘ線を検出する平面検出器本体３ｃ３と、その平面検出器本体３ｃ３を支える支持部１２とによって、平面検出器３ｃを構成する。これにより、平面検出器本体３ｃ３が支持部１２により支えられ、平面検出器３ｃが自立することになる。このため、例えば天板２ａ上のどこにでも自由に平面検出器３ｃを設置することが可能となるので、配置自由度を向上させることができる。さらに、側面撮影用保持ツールを用いる場合に比べ、平面検出器３ｃの支持部１２を展開し、その平面検出器３ｃを天板２ａ上に載置するだけで良いため、利用者の手間を軽減することが可能となり、設置作業性を向上させることができる。加えて、側面撮影用保持ツールが不要となり、その側面撮影用保持ツールを取り除くことが可能となるため、複雑な機構の側面撮影用保持ツールを用いる場合に比べ、省スペース化を実現することができる。
【００６８】
なお、前述の第４の実施形態においては、第１の実施形態に係る支持部１２を平面検出器本体３ｃ３に取り付けているが、これに限るものではなく、例えば、第２又は第３の実施形態に係る支持部１２（図６及び図７参照）を平面検出器本体３ｃ３に取り付けるようにしても良い。この場合には、第２又は第３の実施形態と同様の効果を得ることが可能となる。
【００６９】
また、前述の第１ないし第４の実施形態においては、平面検出器３ｃを内蔵する保持部１１を天板２ａの上面である載置面にほぼ垂直にして支持部１２により支持するようにしているが、これに限るものではなく、例えば、天板２ａの上面である載置面に対して傾斜させて支持部１２により支持するようにしても良い。このときの傾斜角度は撮影部位（例えば、腕や足など）や撮影内容などに応じて変わるものである。
【００７０】
また、前述の第１ないし第４の実施形態においては、平面検出器３ｃを天板２ａ上に載置する例を示したが、これに限ることはなく、天板２ａ以外の場所に平面検出器３ｃが載置されてもよい。
【００７１】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
３ｃ    平面検出器
３ｃ３  平面検出器本体
３ｄ    平面検出器保持装置
１１    保持部
１２    支持部
【図１】
2014233577.tif 000003
【図２】
2014233577.tif 000004
【図３】
2014233577.tif 000005
【図４】
2014233577.tif 000006
【図５】
2014233577.tif 000007
【図６】
2014233577.tif 000008
【図７】
2014233577.tif 000009
【図８】
2014233577.tif 000010